【手続補正書】
【提出日】令和2年5月28日(2020.5.28)
【手続補正１】
【補正対象書類名】特許請求の範囲
【補正対象項目名】全文
【補正方法】変更
【補正の内容】
【特許請求の範囲】
【請求項１】
複数の撮影装置による異なる位置からの撮影により得られる複数の画像データに基づいて生成される仮想視点画像に対応する仮想視点の移動経路を規定する設定を受け付ける受付手段と、
前記仮想視点画像を生成するために用いられる前記仮想視点の移動経路を前記受付手段により受け付けられた設定が規定する移動経路から他の移動経路へ変更すべきかを、前記複数の画像データに含まれる画像データと前記複数の撮影装置に含まれる撮影装置の状態との少なくとも何れか基づいて判断する判断手段と、
前記判断手段による判断に応じて前記仮想視点の移動経路を変更する変更手段と、を有することを特徴とする情報処理装置。
【請求項２】
前記判断手段は、前記複数の画像データに含まれる画像データの異常と前記複数の撮影装置に含まれる撮影装置の異常との少なくとも何れかの検出結果に基づいて、前記仮想視点の移動経路を変更すべきかを判断することを特徴とする請求項１に記載の情報処理装置。
【請求項３】
前記変更手段は、前記複数の画像データのうち異常状態にある画像データが前記仮想視点画像の生成に使用されないように、前記仮想視点の移動経路を変更することを特徴とする請求項２に記載の情報処理装置。
【請求項４】
前記受付手段により受け付けられた設定が規定する前記仮想視点の移動経路に応じた仮想視点画像の生成のために使用される撮影装置を特定する特定手段を有し、
前記特定手段により特定された撮影装置により取得される画像データが前記仮想視点画像の生成に使用できない場合に、前記判断手段は、前記仮想視点の移動経路を変更すべきと判断することを特徴とする請求項１乃至３の何れか１項に記載の情報処理装置。
【請求項５】
前記受付手段により受け付けられた設定が規定する前記仮想視点の移動経路に応じた仮想視点画像の生成のために使用される撮影装置を特定する特定手段と、
前記特定手段により特定された撮影装置のうち異常状態にある撮影装置を検出する検出手段と、を有し、
前記判断手段は、前記仮想視点の移動経路を変更すべきかを、前記検出手段による検出の結果に基づいて判断することを特徴とする請求項１乃至３の何れか１項に記載の情報処理装置。
【請求項６】
前記判断手段は、前記検出手段により異常状態にある撮影装置が所定数以上検出された場合に、前記仮想視点の移動経路を変更すべきと判断することを特徴とする請求項５に記載の情報処理装置。
【請求項７】
前記判断手段は、前記検出手段により異常状態にある期間が所定時間以上である撮影装置が検出された場合に、前記仮想視点の移動経路を変更すべきと判断することを特徴とする請求項５に記載の情報処理装置。
【請求項８】
前記変更手段は、前記受付手段により受け付けられた設定が規定する前記仮想視点の移動経路に応じた仮想視点画像に含まれる所定のオブジェクトが、前記変更手段により変更された後の前記仮想視点の移動経路に応じた仮想視点画像にも含まれるように、前記仮想視点の移動経路を変更することを特徴とする請求項１乃至７の何れか１項に記載の情報処理装置。
【請求項９】
前記変更手段は、前記仮想視点の移動経路の変更の前後で前記仮想視点の高さが維持されるように、前記仮想視点の移動経路を変更することを特徴とする請求項１乃至８の何れか１項に記載の情報処理装置。
【請求項１０】
前記変更手段は、前記受付手段により受け付けられた設定が規定する前記仮想視点の移動経路に応じた仮想視点画像における所定のオブジェクトの大きさと、前記変更手段により変更された後の前記仮想視点の移動経路に応じた仮想視点画像における前記所定のオブジェクトの大きさとが一致するように、前記仮想視点の移動経路を変更することを特徴とする請求項１乃至９の何れか１項に記載の情報処理装置。
【請求項１１】
前記変更手段は、候補となる複数の移動経路の優先度に基づいて前記仮想視点の移動経路を変更することを特徴とする請求項１乃至１０の何れか１項に記載の情報処理装置。
【請求項１２】
前記判断手段は、前記仮想視点の移動経路を変更すべきかを、仮想視点画像における前景の占める割合に基づいて判断することを特徴とする請求項１乃至１１の何れか１項に記載の情報処理装置。
【請求項１３】
前記受付手段は、前記仮想視点の移動経路を指定するユーザ操作に応じた設定を受け付けることを特徴とする請求項１乃至１２の何れか１項に記載の情報処理装置。
【請求項１４】
前記変更手段により変更された前記仮想視点の移動経路に応じた仮想視点画像を表示画面に表示させる表示制御手段を有することを特徴とする請求項１乃至１３の何れか１項に記載の情報処理装置。
【請求項１５】
前記複数の画像データに基づいて仮想視点画像を生成する生成装置へ、前記変更手段により変更された前記仮想視点の移動経路を示す情報を出力する出力手段を有することを特徴とする請求項１乃至１４の何れか１項に記載の情報処理装置。
【請求項１６】
前記変更手段により変更された前記仮想視点の移動経路に応じた仮想視点画像を前記複数の画像データに基づいて生成する生成手段を有することを特徴とする請求項１乃至１４の何れか１項に記載の情報処理装置。
【請求項１７】
複数の撮影装置による異なる位置からの撮影により得られる複数の画像データに基づいて生成される仮想視点画像に対応する仮想視点の移動経路を規定する設定を受け付ける受付工程と、
前記仮想視点画像を生成するために用いられる前記仮想視点の移動経路を前記受付工程において受け付けられた設定が規定する移動経路から他の移動経路へ変更すべきかを、前記複数の画像データに含まれる画像データと前記複数の撮影装置に含まれる撮影装置の状態との少なくとも何れか基づいて判断する判断工程と、
前記判断工程における判断に応じて前記仮想視点の移動経路を変更する変更工程と、を有することを特徴とする情報処理方法。
【請求項１８】
前記判断工程は、前記複数の画像データに含まれる画像データの異常と前記複数の撮影装置に含まれる撮影装置の異常との少なくとも何れかの検出結果に基づいて、前記仮想視点の移動経路を変更すべきかを判断することを特徴とする請求項１７に記載の情報処理方法。
【請求項１９】
前記変更工程は、前記複数の画像データのうち異常状態にある画像データが前記仮想視点画像の生成に使用されないように、前記仮想視点の移動経路を変更することを特徴とする請求項１７又は１８に記載の情報処理方法。
【請求項２０】
コンピュータを、請求項１乃至１６の何れか１項に記載の情報処理装置の各手段として機能させるためのプログラム。
【手続補正２】
【補正対象書類名】明細書
【補正対象項目名】発明の名称
【補正方法】変更
【補正の内容】
【発明の名称】情報処理装置、情報処理方法及びプログラム
【手続補正３】
【補正対象書類名】明細書
【補正対象項目名】０００１
【補正方法】変更
【補正の内容】
【０００１】
本発明は、情報処理装置、情報処理方法及びプログラムに関する。
【手続補正４】
【補正対象書類名】明細書
【補正対象項目名】０００５
【補正方法】変更
【補正の内容】
【０００５】
本発明の情報処理装置は、複数の撮影装置による異なる位置からの撮影により得られる複数の画像データに基づいて生成される仮想視点画像に対応する仮想視点の移動経路を規定する設定を受け付ける受付手段と、前記仮想視点画像を生成するために用いられる前記仮想視点の移動経路を前記受付手段により受け付けられた設定が規定する移動経路から他の移動経路へ変更すべきかを、前記複数の画像データに含まれる画像データと前記複数の撮影装置に含まれる撮影装置の状態との少なくとも何れか基づいて判断する判断手段と、前記判断手段による判断に応じて前記仮想視点の移動経路を変更する変更手段と、を有することを特徴とする。